(57)【要約】【課題】フレコンバックの袋口を強力に絞る力が得られるばかりでなく、中心から均等に絞り込む動作が確実に得られ、袋口の捩じりにも耐えやすくなるフレコンバックの袋口絞り装置を提供する。【解決手段】袋口に向かって幅寄せ可能に往復するよう口向かいに設置される左右一対の口開フレームに、袋口を同時に絞るシャッター部片を幅寄せ時に全てが等間隔の同心円配列となるように半数ずつ具備するとともに、それぞれシャッター部片を当該の口開フレームに開閉可能に枢着し、両口開フレームの向かい合う口内縁がほゞ半円弧に形成されており、その両口開フレームには、口内縁に沿った位置にそれぞれのシャッター部片の枢着軸を設ける一方、各シャッター部片を同時に開閉する絞り駆動機構を装備し、シャッター部片については、絞るよう閉じる側の内側縁を円弧形に形成し、先端には開く方向側の隣接シャッター部片の内側縁に沿う係合部を設け、基端部には閉じる方向側の隣接シャッター部片の係合部が開において差し合わさる係合のための受入れ口を設けた。【選択図】    図１
2004307013.tif 000002
【特許請求の範囲】
【請求項１】
袋口に向かって幅寄せ可能に往復するよう口向かいに設置される左右一対の口開フレームに、袋口を同時に絞るシャッター部片を幅寄せ時に全てが等間隔の同心円配列となるように半数ずつ具備するとともに、それぞれシャッター部片を当該の口開フレームに開閉可能に枢着し、両口開フレームの向かい合う口内縁がほゞ半円弧に形成されており、その両口開フレームには、口内縁に沿った位置にそれぞれのシャッター部片の枢着軸を設ける一方、各シャッター部片を同時に開閉する絞り駆動機構を装備し、シャッター部片については、絞るよう閉じる側の内側縁を円弧形に形成し、先端には開く方向側の隣接シャッター部片の内側縁に沿う係合部を設け、基端部には閉じる方向側の隣接シャッター部片の係合部が開において差し合わさる係合のための受入れ口を設けたことを特徴とするフレキシブルコンテナバックの袋口絞り装置。
【請求項２】
絞り駆動機構については、口開フレームの口内縁に沿ってスライドする円弧形の原動連杆を装着し、この原動連杆に対して、各シャッター部片が枢着軸を支点に従動して開閉するように、基端でリンクを介してピン連結されていることを特徴とする請求項１記載のフレキシブルコンテナバックの袋口絞り装置。
【発明の詳細な説明】
【０００１】
【発明の属する技術分野】
この発明は、内容物を投入後にバンドまたはロープ等で袋口を締結しやすく細めるフレキシブルコンテナバックの袋口絞り装置に関する。
【０００２】
【従来の技術】
フレキシブルコンテナバック（以下フレコンバックと略称する）は、内容物の投入装置において受け台の上の投入口に袋口を嵌めて吊り下げ状態で袋詰めがなされてから、その台上に置かれたままでバンドまたはロープ等の締結部材により袋口が結び封じられる。しかし、締結部材で直接絞り込むと締まりが不十分となりやすいので、従来、投入装置において袋口絞り装置が具備され、下方の受け台の回転によりさらに絞り込まれてから、絞りで細くなった位置に締結部材の巻き付けがなされる。
【０００３】
従来の袋口絞り装置は、投入口の直下位置に向かう左右一対の支持杆の先端に口合わせに互いに差し合う湾曲形アームを突設し、その幅寄せにより囲みを縮めるように動作させて袋口を締めるようにしたものであった。そして、この場合も、フレコンバックが載っている受け台を回転させ、捩じられた部分で締結部材の巻き付けがなされる。
【０００４】
【発明が解決しようとする課題】
上記のような従来の袋口絞り装置によれば、両湾曲形アームを相互の接近で差し合わせることによりその間に袋口を囲み、囲みの幅を狭めて袋口が締め付けられるが、周囲から均等に絞る動作とはならなく挟み動作に近いために、袋口が真円に近いよう丸くならなく、また、支持杆から突出するだけで支持される構造から、両湾曲形アームに絞るときの耐える強度が得られがたいことから、受け台の回転により袋口が捩じり込まれたとき、湾曲形アームがその力に耐えられなく曲がったり折れたりしやすく、このこともあって、袋口の結束する形状や位置が正確に定まらないため、商品価値を損なうことなく誤りなく縛ることのできる確率が悪かった。
【０００５】
この発明は、上記のような実情に鑑みて、フレコンバックの袋口を強力に絞る力が得られるばかりでなく、中心から均等に絞り込む動作が確実に得られ、袋口の捩じりにも耐えやすくなるフレコンバックの袋口絞り装置を提供することを目的とした。
【０００６】
【課題を解決するための手段】
上記の目的を達成するために、この発明は、袋口に向かって幅寄せ可能に往復するよう口向かいに設置される左右一対の口開フレームに、袋口を同時に絞るシャッター部片を幅寄せ時に全てが等間隔の同心円配列となるように半数ずつ具備するとともに、それぞれシャッター部片を当該の口開フレームに開閉可能に枢着し、両口開フレームの向かい合う口内縁がほゞ半円弧に形成されており、その両口開フレームには、口内縁に沿った位置にそれぞれのシャッター部片の枢着軸を設ける一方、各シャッター部片を同時に開閉する絞り駆動機構を装備し、シャッター部片については、絞るよう閉じる側の内側縁を円弧形に形成し、先端には開く方向側の隣接シャッター部片の内側縁に沿う係合部を設け、基端部には閉じる方向側の隣接シャッター部片の係合部が開において差し合わさる係合のための受入れ口を設けたことを特徴とするフレコンバックの袋口絞り装置を提供するものである。
【０００７】
【作  用】
上記の構成によれば、フレコンバックに内容物が投入されてから、その袋口を絞るときには、まず、その袋口を挟むようにして左右の口開フレームが接近し、その両方の口内縁で輪ができる状態で停止する。このときには、各シャッター部片が口内縁の沿うように開いているので、輪によって袋口の回りを囲む状態となっている。それから、この状態で絞り駆動機構が作動すると、全てのシャッター部片が囲みの中に向かって同時に閉じることにより、言わばシャッター絞りの要領で袋口を絞り込むことになる。
【０００８】
絞り駆動機構については、様々な形態が考えられるが、請求項２に記載の如く、口開フレームの口内縁に沿ってスライドする円弧形の原動連杆を装着し、この原動連杆に対して、各シャッター部片が枢着軸を支点に従動して開閉するように、基端でリンクを介してピン連結されていると、構造が簡単であり確実に動作するので目的の達成により有効である。
【０００９】
【発明の実施の形態】
次に、この発明の実施の形態を図面に基づいて説明する。
【００１０】
フレコンバックの袋口絞り装置Ｐは、内容物投入装置における投入口１の直下に袋口３を挟むようにして、左右一対のスライドフレーム８，８およびそれに可動可能に搭載される口開フレーム９，９を配設して構成され、袋口絞り装置Ｐの下方にフレコンバックＢの受け台７が回転可能に配置される（図６参照）。
【００１１】
両口開フレーム９，９には、袋口３の回りを均等に絞る配列と動きとなる多数のシャッター部片１１，１１，・・の半数ずつ、図示では３個ずつ具備するとともに、シャッター部片１１，１１，１１の絞り駆動機構１３および絞り駆動モーター１５を装備してあって、幅寄せとシャッター部片１１，１１，・・の同時動作により投入口１の直下位置、つまり袋口３に絞り込みがなされる。
【００１２】
幅寄せについては、スライドフレーム８の上面に、２条のガイドレール１７，１７を配設し、口開フレーム９にガイドレール１７，１７に案内されるガイドブロックと、幅寄せ駆動モーター２１とを備えている。なお、口開フレーム９，９の動く範囲およびシャッター部片１１，１１，・・の動く範囲は、それぞれセンサーの配置により制御される。
【００１３】
口開フレーム９，９は、両方の口合わせ口内縁１０，１０でほゞ円形の内周円が構成されるように、口内縁１０がほゞ半円弧の馬蹄形であって、その上面には、口内縁１０に沿ってシャッター部片１１，１１，１１の枢着軸１８，１８，１８を設けるとともに、それら部片を同時に反転させるように絞り駆動機構１３が構成される。
【００１４】
絞り駆動機構１３は、口開フレーム９の上にその口内縁１０に沿った円弧形の原動連杆２５を設け、原動連杆２５に各シャッター部片１１，１１，１１を従動させるようにリンク１２，１２，１２を介してピン２４で連結したもので、原動連杆２５を円弧に沿ってスライドさせるために、口開フレーム９の上に原動連杆２５を内外から押し付けるようにして係合させる幾つかのガイドローラ２７，２７，・・が軸支される。
【００１５】
このような点については、図５に示す如くするのが望ましい。つまり、同図では、口開フレーム９にはその強度のためや、この絞り駆動機構１３を保護する等のために、内外両側に起立壁２９，２９を形成する。また、ガイドローラ２７には外周面に凹溝３２が形成され、凹溝３２に原動連杆２５を係合させる。
【００１６】
原動連杆２５をスライドさせるために、絞り駆動モーター１５の回転スプロケット（図示省略）にチェーン３１を掛け、原動連杆２５にそのチェーン３１の両端３１ａ，３１ａ（図３）を接続してある。そこで、原動連杆２５が一方向へ移動すると、リンク１２を介してその方向へシャッター部片１１の基端を引くことにより、各シャッター部片１１が開いた状態となり（図１，図２）、他方向へ移動すると、同じくリンク１２を介してその方向へシャッター部片１１の基端を引くことにより、各シャッター部片１１が閉じた状態となる（図３）。
【００１７】
なお、この開閉において、ピン２４の位置が僅かにずれるが、そのずれがリンク１２の僅かの回動で吸収されるので、これにより原動連杆２５が円弧形であっても、シャッター部片１１が従動可能に連結されることになる絞り駆動機構１３が構成される。
【００１８】
シャッター部片１１は、言わば枢着軸１８を支点とするレバーであって、枢着軸１８から短寸法の基端および長寸法の先端にそれぞれ行くにつれて幅狭く形成され、閉じる側の内側縁３３が口内縁１０とほゞ同じ仮想円を構成する円弧形に形成される。そして、開く側のシャッター部片１１の内側縁３３に係合するように、先端に二股の係合部３５が設けられ、枢着軸１８の近くには係合部３５の受入れ口３７が段差状の切欠により設けられる。
【００１９】
そこで、両方の口開フレーム９，９では、それぞれ隣接シャッター部片１１，１１の間でこの係合関係が常時保持されているが（図１）、幅寄せの状態では（図２）、一方の口開フレーム９の最も先（片側）のシャッター部片１１の係合部３５が、他方の口開フレーム９の基端（片側）のシャッター部片１１の受入れ口３７に差し掛かるようになっている。そして、この状態で絞り駆動モーター１５が作動して各シャッター部片１１，１１，・・が閉じると（図３）、隣接どうしで持合い係合関係を保持しながら閉じ、各先端部においてほゞ円に近い絞込み孔が得られる。したがって、袋口３は円に近い均等な絞込みとなるので、受け台７が回転すると、均等に捩じられることになり、また、各シャッター部片１１，１１，・・に均等に捩じる力が加わることになり、その力に耐えやすい。
【００２０】
図４は、シャッター部片１１の縦断面図であって、先端の係合部３５が２片４０，４０を止めて二股に形成される。４２は枢着軸１８の軸受孔、４４がピン２４の軸受孔である。
【００２１】
【発明の効果】
以上説明したように、この発明のフレコンバックの袋口絞り装置によれば、両口開フレームにそれぞれ開閉可能に支持されるとともに、係合により相互に持ち合うように支持される多数のシャッター部片により袋口を絞り込むので、受け台の回転で捩じられる力に耐え得る構造であって、絞り込みを十分になし得るだけでなく、言わばシャッター絞りとなるため、正確に捩じりやすく中心へ均等に絞り込む動作が確実に得られ、この均等性によっても捩じる力に耐え得ることになるという優れた効果がある。
【図面の簡単な説明】
【図１】この発明の一実施の形態においてフレコンバックの袋口絞り装置を絞り待機状態で示す平面図である。
【図２】同袋口絞り装置を絞り初期動作の完了状態で示す平面図である。
【図３】同袋口絞り装置を絞り最終動作の完了状態で示す平面図である。
【図４】この発明に係る絞り駆動機構における口開フレームの実施形態を示す断面図である。
【図５】この発明に関連する内容物の投入装置を正面から見た説明図である。
【図６】フレコンバックと同袋口絞り装置との配置関係を示した説明図である。
【符号の説明】
Ｂ  フレキシブルコンテナバック（フレコンバック）
３  袋口
９  口開フレーム
１０  口内縁
１１  シャッター部片
１２  リンク
１３  絞り駆動機構
１８  枢着軸
２４  ピン
２５  原動連杆
３３  内側縁
３５  係合部
３７  受入れ口
【図１】
2004307013.tif 000003
【図２】
2004307013.tif 000004
【図３】
2004307013.tif 000005
【図４】
2004307013.tif 000006
【図５】
2004307013.tif 000007
【図６】
2004307013.tif 000008